(57)【要約】【課題】オプションデバイスの組み合わせにより性能が異なるプリンタとホストとからなる印刷システムにおいて、オプションデバイスの組み合わせに対応したセットアップ処理を確実に行うことを目的とする。【解決手段】初期設定処理を行うためのセットアップモードと、ホスト２０が送信した印刷データに基づいて印刷処理を実行する通常印刷モードと、を有するプリンタ１に、電源が投入された際に、上記初期設定処理が完了しているか否かを判断し、完了していない場合にセットアップモードを選択し、完了している場合に通常印刷モードを選択する選択部１２と、初期設定の処理が完了した場合に、初期設定処理で装着されたオプションデバイスの構成に関連付けたプリンタの識別子を特定し、該識別子を前記ホストに送信させるセットアップ管理部５と、を設ける。【選択図】  図１
2004276454.tif 000002
【特許請求の範囲】
【請求項１】
印刷データを生成し、該生成した印刷データを送信するホストと通信可能に接続されるプリンタであって、
オプションデバイスの装着状態の有無を検知する処理を伴う初期設定処理を行うセットアップモードと前記ホストが送信した印刷データを受信し、該受信した印刷データに基づいて印刷処理を実行する通常印刷モードとのいずれかを選択する選択手段を有し、
前記選択手段は、電源が投入された際に、上記初期設定処理が完了しているか否かを判断し、完了していない場合にセットアップモードを選択し、完了している場合に通常印刷モードを選択し、
前記セットアップモードは、検知された装着状態のオプションデバイスの構成に関連付けたプリンタの識別子を特定し、該特定した識別子を前記ホストに送信することを特徴とするプリンタ。
【請求項２】
印刷データを生成し、該生成した印刷データを送信するホストと通信可能に接続される、表示部を有するプリンタであって、
オプションデバイスの装着状態の有無を検知する処理を伴う初期設定処理を行うセットアップモードと前記ホストが送信した印刷データを受信し、該受信した印刷データに基づいて印刷処理を実行する通常印刷モードとのいずれかを選択する選択手段を有し、
前記選択手段は、電源が投入された際に、上記初期設定処理が完了しているか否かを判断し、完了していない場合にセットアップモードを選択し、完了している場合に通常印刷モードを選択し、
前記セットアップモードは、
前記初期設定の処理の手順を前記表示部に表示する管理手段と、
前記装着されたオプションデバイスの構成を検知する検知手段と、
前記初期設定の処理が完了しているか否かを判断する判断手段と、
前記初期設定の処理が完了していると判断した場合に、予め定めた規則に基づいて、前記検知したオプションデバイスの構成に関連付けたプリンタの識別子を特定する特定手段と、
該特定した識別子を前記ホストに送信する送信手段と、を有することを特徴とするプリンタ。
【請求項３】
請求項２に記載のプリンタであって、
前記判断手段が前記初期設定の処理が完了していると判断した場合に、前記セットアップモードから通常印刷モードに変更する手段を有することを特徴とするプリンタ。
【請求項４】
請求項２又は３に記載のプリンタであって、
前記初期設定の処理は、複数の工程から構成されており、
前記管理手段は工程毎の進捗状況を管理し、該進捗状況に応じて前記初期設定の処理の手順を工程毎に前記表示部に表示することを特徴とするプリンタ。
【請求項５】
請求項２〜４のいずれか一項に記載のプリンタであって、
前記初期設定には、前記プリンタに装着されている保護材を取り外す処理と、プリンタの印刷画像の調整を行う処理とが含まれていることを特徴とするプリンタ。
【請求項６】
印刷データを生成し、該生成した印刷データを送信するホストと、請求項１〜５のいずれか一項に記載のプリンタとを有する印刷システムであって、
前記ホストは、前記プリンタが送信した識別子を受信し、該受信した識別子を用いて、前記プリンタに装着されているオプションデバイスの構成に関連付けて、印刷データを生成するための印刷条件を設定することを特徴とする印刷システム。
【請求項７】
印刷データを生成し、該生成した印刷データを送信するホストと通信可能に接続される、表示部を有するプリンタにおけるプリンタの識別子を特定し、該識別子を前記ホストに送信する方法であって、
前記プリンタは、オプションデバイスの装着状態の有無を検知する処理を伴う初期設定処理を行うセットアップモードおよび前記ホストが送信した印刷データを受信し、該受信した印刷データに基づいて印刷処理を実行する通常印刷モードを有しており、
該プリンタに電源が投入された際に、上記初期設定処理が完了しているか否かを判断し、完了していない場合にセットアップモードを選択し、完了している場合に通常印刷モードを選択する処理を実行し、
前記セットアップモードが選択された場合に、
前記初期設定の処理の手順を前記表示部に表示する処理を実行し、
前記取付けられたオプションデバイスの構成を検知する処理を実行し、
前記初期設定の処理が完了しているか否かを判断する処理を実行し、
前記初期設定の処理が完了していると判断した場合に、前記検知したオプションデバイスの構成に関連付けたプリンタの識別子を特定する処理を実行し、
前記特定した識別子を前記ホストに送信する処理を実行することを特徴とする方法。
【発明の詳細な説明】
【０００１】
【発明の属する技術分野】
本発明は、ホストとプリンタとを備えた印刷システムに関し、特に、プリンタの識別子を特定しホストに送信する技術に関する。
【０００２】
【従来の技術】
プリンタは、ユーザ毎に様々な用途で使用されている。例えば、カラー写真の印刷を行うためにプリンタを使用するユーザや、Ａ３サイズの用紙にカラー印刷を行うためにプリンタを使用するユーザや、白黒のドキュメントの印刷を行うだけにプリンタを使用するユーザ等、その用途はユーザ毎に様々である。
【０００３】
また、プリンタには、装置自体の仕様を変更することなくユーザ毎の種々の用途に対応できるように、プリンタに装着するトナーカートリッジ、増設メモリ等のオプションデバイスの組合せにより、異なる性能が発揮されるように構成されているものがある。このような場合には、異なる製品（型番も変えて）として取引されていることが多い。
【０００４】
さて、プリンタとホストとからなる印刷システムでは、ユーザは、印刷処理を実行可能な状態にするためのセットアップ処理を行う必要がある。このセットアップ処理とは、工場出荷時にプリンタに装着されている保護材を取り外し、トナーカートリッジ等のオプションデバイスをプリンタに取り付け、プリンタをホストに接続し、さらにプリンタの印刷画像の調整を行う処理のことをいう。また、プリンタはセットアップ処理の際に、プリンタ自身をホストに識別させるための識別子（以下「デバイスＩＤ」という）をホストに通知している。
【０００５】
従来のプリンタでは、ホストに接続して電源を投入するとすぐに、上記デバイスＩＤをホストに送信している（このようにすぐにデバイスＩＤを返信することで、ＰｎＰを実現している）。そして、ホストのプリンタドライバは、受信したデバイスＩＤにより接続されているプリンタを識別して、該プリンタの機能に対応する印刷条件の設定を行う。
【０００６】
しかしながら、従来の印刷システムでは、上記のようなオプションデバイスの組み合わせにより性能が異なるプリンタであっても、そのオプションデバイスの構成に関係ない共通のデバイスＩＤをホストに送信している。そのため、ホストにおいてオプションデバイスの組み合わせに対応した印刷条件の設定がされないこととなり、プリンタの性能が十分に発揮されない場合がある。
【０００７】
また、従来の印刷システムには、プリンタに通信可能に接続されているホストからの要求を受け、プリンタに装着されているオプションデバイスの構成を、上記デバイスＩＤとは別にホストに返信するものがある（例えば特許文献１）。具体的には、プリンタに通信可能に接続されているホストのプリンタドライバが、ホストに接続されている表示装置に設定画面を表示する。そして、ホストは、ユーザからプリンタに装着されているオプションデバイス情報の取得要求を受け付け、該要求を示すデータをプリンタに送信する。その後、該要求を示すデータを受けたプリンタは、自身に装着されているオプションデバイス構成情報をホストに返信する。
【０００８】
このように、プリンタがホストからの要求に応じて、プリンタに装着されているオプションデバイスの構成情報を返信することで、ホストのプリンタドライバは、プリンタのオプション構成に応じた印刷条件の設定を行うことができる。
【特許文献１】
特開２００１−６７３４７号公報（段落０１１５、第２８図）
【０００９】
【発明が解決しようとする課題】
しかしながら、上記特許文献１の技術は、一旦設定されたプリンタドライバの印刷条件を、事後的に取得したオプションデバイスの構成情報により変更するものであり、セットアップ処理の際に、プリンタに装着されているオプションデバイスの構成情報をホストが自動的に取得するものではない。
【００１０】
そのため、上記特許文献１の技術では、オプションデバイスの組み合わせにより性能が異なるプリンタをセットアップした後に、ホストが事後的にオプションデバイス構成情報の取得要求をユーザから受け付けない限り、ホストでは、プリンタのオプションデバイス構成に関係ない印刷条件が設定されたままである。すなわち、特許文献１の技術が適用される印刷システムでは、ユーザがオプションデバイスの構成情報の取得要求を行わない限りオプションデバイスの構成に対応した印刷処理が実行できないという問題を有している。
【００１１】
そこで、本発明の目的は、オプションデバイスの組み合わせにより性能が異なるプリンタとホストとからなる印刷システムにおいて、オプションデバイスの組み合わせに対応したセットアップ処理を簡易かつ確実に行うことを目的とする。
【００１２】
【課題を解決するための手段】
上記課題を解決するため、印刷データを生成し、該生成した印刷データを送信するホストと通信可能に接続されるプリンタに、オプションデバイスの装着状態の有無を検知する処理を伴う初期設定処理を行うセットアップモードと前記ホストが送信した印刷データを受信し、該受信した印刷データに基づいて印刷処理を実行する通常印刷モードとのいずれかを選択する選択手段を設ける。そして、前記選択手段は、電源が投入された際に、上記初期設定処理が完了しているか否かを判断し、完了していない場合にセットアップモードを選択し、完了している場合に通常印刷モードを選択するように構成する。また、前記セットアップモードは、検知された装着状態のオプションデバイスの構成に関連付けたプリンタの識別子を特定し、該特定した識別子を前記ホストに送信するように構成する。
【００１３】
例えば、本発明の一態様が適用される印刷システムは、印刷データを生成し、該生成した印刷データを送信するホストと、該ホストに通信可能に接続される表示部を有するプリンタとを備えて構成される。
【００１４】
前記プリンタは、オプションデバイスの装着状態の有無を検知する処理を伴う初期設定処理を行うセットアップモードと前記ホストが送信した印刷データを受信し、該受信した印刷データに基づいて印刷処理を実行する通常印刷モードとのいずれかを選択する選択手段を有し、前記選択手段は、電源が投入された際に、上記初期設定処理が完了しているか否かを判断し、完了していない場合にセットアップモードを選択し、完了している場合に通常印刷モードを選択し、前記セットアップモードは、前記初期設定の処理の手順を前記表示部に表示する管理手段と、前記装着されたオプションデバイスの構成を検知する検知手段と、前記初期設定の処理が完了しているか否かを判断する判断手段と、前記初期設定の処理が完了していると判断した場合に、予め定めた規則に基づいて、前記検知したオプションデバイスの構成に関連付けたプリンタの識別子を特定する特定手段と、該特定した識別子を前記ホストに送信する送信手段と、を有する。また、前記判断手段が前記初期設定の処理が完了していると判断した場合に、前記セットアップモードから通常印刷モードに変更する手段を有することとしてもよい。
【００１５】
このように、本発明の一態様では、プリンタに通常の印刷処理を行う「通常印刷モード」とは別に、初期設定のための「セットアップモード」を設けている。また、プリンタに電源が投入された際に、「セットアップモード」で行う初期設定処理が完了しているか否かを判断し、完了していない場合には、「セットアップモード」を選択するように構成している。すなわち、初期設定が完了するまでは、プリンタでは印刷処理を実行できないため、ユーザに対してプリンタのセットアップ処理を確実に行なわせることができる。
【００１６】
さらに、セットアップモードでは、プリンタの初期設定の処理が完了した場合に、プリンタに取り付けられたオプションデバイスの構成に関連付けたプリンタの識別子を特定し、該識別子をホストにプリンタが自ら送信するようにしている（初期設定の処理が終了するまでは、プリンタの識別子を送信しない）。
【００１７】
そのため、本一態様によれば、セットアップ処理の際に、ホストに対してプリンタに装着されたオプションデバイスの構成を確実に通知することが出来る。
【００１８】
したがって、オプションデバイスの組み合わせにより性能が異なるプリンタとホストとからなる印刷システムであっても、オプションデバイスの組み合わせに対応したセットアップ処理を行うことが出来る。
【００１９】
また、前記初期設定の処理は、複数の工程から構成されており、前記管理手段は工程毎の進捗状況を管理し、該進捗状況に応じて前記初期設定の処理の手順を工程毎に前記表示部に表示することとしてもよい。このように、初期設定の進捗を管理して進捗状況に応じて初期設定の処理の手順を表示することで、ユーザにわかり易く初期設定処理を案内することができる。
【００２０】
また、前記初期設定には、前記プリンタに装着されている保護材を取り外す処理と、プリンタの印刷画像の調整を行う処理とが含まれていることとしてもよい。このように、初期設定に必要な保護材を取り外す処理の手順およびプリンタの印刷画像の調整を行う処理の手順を表示部に表示することにより、ユーザに適切に初期設定処理を案内することができ、ユーザの初期設定処理の負担を軽減することができる。
【００２１】
また、前記ホストは、前記プリンタが送信した識別子を受信し、該受信した識別子を用いて、前記プリンタに取付けられたオプションデバイスの構成に関連付けて、印刷データを生成するための印刷条件を設定することとしてもよい。
【００２２】
このように、本一態様では、セットアップ処理の際に、ホストは、プリンタに取付けられたオプションデバイスの構成に関連付けたプリンタの識別子を自動的（ユーザからの指示を受けることなく）に取得し、該取得した識別子により印刷条件を設定している。そのため、オプションデバイスの組み合わせにより性能が異なるプリンタとホストとからなる印刷システムであっても、オプションデバイスの組み合わせに対応したセットアップ処理を簡易かつ確実に行うことができる。
【００２３】
【発明の実施の形態】
以下、本発明の実施形態について図面を用いて説明する。
【００２４】
最初に、本発明の実施形態の機能構成を説明する。図１は、本発明の実施形態が適用された印刷システムの機能構成の一例を示すブロック図である。図示するように、本実施形態の印刷システムは、プリンタ１とホスト２０とを有して構成されている。
【００２５】
さて、最初に、本実施形態の印刷システムのホスト２０の機能構成を説明する。ホスト２０は、プリンタドライバ部２１と、ＯＳ処理部２２と、通信制御部２３と、アプリケーション処理部２４と、を有する。
【００２６】
ＯＳ処理部２２は、ホスト２０の各部（プリンタドライバ部２１、通信制御部２３、アプリケーション処理部２４）を統括的に制御する。
【００２７】
通信制御部２３は、プリンタ１との間の各種データの送受信を行う。アプリケーション処理部２４は、例えばユーザからの指示に従い作成した文書、表、画像等のドキュメントの画像データ（描画コマンド）をプリンタドライバ部２１に送信する。
【００２８】
プリンタドライバ部２１は、プリンタ１から送信されるデバイスＩＤと該デバイスＩＤに関連付けて印刷条件を設定するためのデータが格納されている印刷条件ＴＢ２５を有している。また、プリンタドライバ部２１は、プリンタ１が送信するデバイスＩＤを、通信制御部２３を介して受信して記憶する。そして、プリンタドライバ部２１は、上記記憶したデバイスＩＤと印刷条件ＴＢ２５に格納されたデータから、プリンタ１およびプリンタ１に装着されているオプションデバイスの構成を特定して、該特定した内容に対応した印刷条件の設定を行う。なお、デバイスＩＤのデータ構造および印刷条件ＴＢ２５のデータ構造については後段で説明する。
【００２９】
また、プリンタドライバ部２１は、アプリケーション処理部２４から送信されたドキュメントの画像データ（描画コマンド）、前記設定した印刷条件に基づいて、プリンタ１が解釈可能なコマンド群で構成される印刷データを生成する。そして、プリンタドライバ部２１は、該生成した印刷データをプリンタ１に送信する。
【００３０】
続いて、本実施形態のプリンタ１の機能構成を説明する。プリンタ１は、電源制御部２と、通信制御部３と、印刷実行部４と、セットアップ管理部５と、セットアップ検知部６と、表示・受付部７と、ＤＢ部８と、選択部１２と、を有する。
【００３１】
ＤＢ部８は、プリンタ１のセットアップ処理の手順を表示・受付部７に表示させるためのデータを格納するセットアップ情報ＤＢ９と、セットアップ処理の進捗状態を管理するためのデータを格納する進捗管理ＤＢ１０と、オプションデバイス構成に基づいてデバイスＩＤを特定するためのデータを格納するデバイス情報ＤＢ１１と、を有している。
【００３２】
具体的には、セットアップ情報ＤＢ９には、セットアップ処理の各工程と該工程の処理手順を示すデータとが対応付けられて格納されている。また、進捗管理ＤＢ１０には、セットアップ処理の各工程が完了しているか否かを示すデータが、それぞれの工程毎に格納されている。また、デバイス情報ＤＢ１１には、オプションデバイスの構成とデバイスＩＤとが関連付けられて格納されている。なお、進捗管理ＤＢ１０およびデバイス情報ＤＢ１１のデータ構造については後段で詳細に説明する。
【００３３】
また、本実施形態の説明においては、セットアップ処理の工程とは、工場出荷時にプリンタ１に装着されている保護材を取り外す工程（以下において「保護材取外工程」という）、消耗品や増設メモリ等のオプションデバイスをプリンタ１に装着する工程（以下において「デバイス取付工程」という）および印刷画像を調整する工程（以下において「画像調整工程」という）の３工程をいうものとするが、特にこれに限定するものではない。また、本実施形態の説明においては、上記オプションデバイスとは、トナーカートリッジ、感光体、廃トナーボックス、増設メモリを例示して説明するが、本実施形態は特にこれに限定しない。
【００３４】
選択部１２は、プリンタ１のセットアップ処理を行うための「セットアップモード」と通常の印刷処理を行うための「通常印刷モード」との選択を行う。具体的には、選択部１２は、プリンタ１に電源が投入された場合に、プリンタ１のセットアップ処理が完了しているか否かを、進捗管理ＤＢ１０に格納されているデータに基づいて判断する。そして、選択部１２は、セットアップ処理が完了していると判断した場合には、「通常印刷モード」を選択し、電源制御部２に対して、印刷処理を実行するために必要な電源供給を行うことを示すデータ（以下で「通常印刷モード指示データ」という）を送信する。一方、選択部１２は、セットアップ処理が完了してないと判断した場合には、「セットアップモード」を選択し、電源制御部２に対して、セットアップ処理を実行するために必要な電源供給を行うことを示すデータ（以下で「セットアップモード指示データ」という）を送信する。
【００３５】
なお、「セットアップモード」においてプリンタ１が行うセットアップ処理は、以下で説明する通信制御部３、セットアップ管理部５、セットアップ検知部６、表示・受付部７、ＤＢ部８の各機能により実現される。また、「通常印刷モード」においてプリンタ１が行う印刷処理は、以下で説明する通信制御部３、印刷実行部４の各機能により実現される。
【００３６】
通信制御部３は、ホスト２０との間の各種データの送受信を行う。例えば、ホスト２０から送信される印刷データを受信する。また、例えば、ホスト２０に対してデバイスＩＤを送信する。
【００３７】
電源制御部２は、プリンタ１の各構成回路に供給する電圧を制御する。具体的には、電源制御部２は、選択部１２から「通常印刷モード指示データ」を受信した場合、通常の印刷処理を行うために必要な電圧をプリンタ１の各構成回路に供給する。一方、選択部１２から「セットアップモード指示データ」を受信した場合、プリンタ１のセットアップ処理を行うために必要な電圧をプリンタ１の各構成回路に供給する。また、電源制御部２は、「セットアップモード」では、セットアップ管理部５からの指示に応じて、プリンタ１の各機能を実現する構成回路に対する電力供給を行う。なお、上記プリンタ１のセットアップ処理を行うために必要な電圧とは、少なくとも、通信制御部３、セットアップ管理部５、セットアップ検知部６、表示・受付部７、ＤＢ部８の機能を実現するために必要な電圧のことをいう。また、通常の印刷処理を行うために必要な電圧とは、通信制御部３、印刷実行部４の機能を実現するために必要な電圧のことをいう。
【００３８】
選択部１２がセットアップモードを選択した場合、最初にセットアップ管理部５が、進捗管理ＤＢ１０に格納されているデータに基づいて、セットアップ処理の進捗を確認する。また、セットアップ管理部５は、確認した進捗状況に応じてセットアップ処理の手順を示すデータを、セットアップ情報ＤＢ９から読み出す。そして、セットアップ管理部５は、該読み出したデータから表示・受付部７に表示するための画像データを生成し、該画像データを表示・受付部７に表示する。
【００３９】
また、セットアップ管理部５は、セットアップ処理の工程に応じて、電源制御部２に、プリンタ１の各構成回路に対する電圧の出力を指示するデータを送信する。
【００４０】
表示・受付部７は、セットアップ管理部５から送信されたセットアップ処理の手順を示す画像データを表示する。また、表示・受付部７は、ユーザからのセットアップ処理に関連する各種要求を受け付ける。具体的には、表示・受付部７は、表示したセットアップ処理の手順を示す画面の切り替え要求を受け付け、該受け付けた要求データをセットアップ管理部５に送信する。また、表示・受付部７は、ユーザからセットアップ処理の各工程の処理完了を示すデータを受け付け、セットアップ検知部６に送信する。なお、表示・受付部７の各種要求を受け付ける手段は、特に限定しない。例えば、表示・受付部７の表示画面上にタッチパネルを設けておいて、タッチパネルの所定箇所の押下により、各種要求を受け付けることとしてもよい。また、例えば、プリンタ１に入力ボタンを設けておいて、該入力ボタンの押下により各種要求を受け付けることとしてもよい。なお、表示・受付部７が表示する表示画面については、後段で詳細に説明する。
【００４１】
セットアップ検知部６は、セットアップ処理の各工程が完了したか否かの検知を行う。具体的には、「デバイス取付工程」については、トナーカートリッジ、増設メモリ等のオプションデバイスの装着の有無を、プリンタ１が有するセンサ（図示せず）や、プリンタ１が有するモータ駆動（図示せず）により検知する。また、「保護材取外工程」および「画像調整工程」については、表示・受付部７がユーザから受け付ける各工程の処理完了を示すデータの受信により検知する。なお、上記説明では、「保護材取外工程」の完了の検知を、表示・受付部７が、ユーザから受け付ける各工程の処理完了を示すデータの受信により検知することとしているが、特にこれに限定しない。例えば、保護材を取り外すために必ず開けるプリンタ１の開閉パネルにセンサを設けておいて、該パネルの開閉をセンサで検知することで、「保護材取外工程」の完了の検知を行うこととしてもよい。
【００４２】
選択部１２が通常印刷モードを選択した場合に、印刷実行部４は、ホスト２０から送信される印刷データを、通信制御部３を介して受信して、該印刷データを用いて印刷処理を実行する。
【００４３】
なお、本実施形態の印刷システムの構成はこれに限定されない。例えば、プリンタ１に複数台のホストが接続されたネットワーク印刷システムであってもよい。
【００４４】
続いて、上記の機能を実現するためのハードウェア構成について説明する。
【００４５】
図２は、本発明の第１の実施形態が適用された印刷システムのハードウェア構成の一例を示すブロック図である。
【００４６】
ホスト２０には、プログラムを実行するＣＰＵ（中央演算処理装置）３０と、ＣＰＵ３０が実行するプログラムやデータを一時的に記憶する主記憶装置３１と、ホスト２０を制御するためのプログラム等が予め記憶されているハードディスク等の補助記憶装置３２と、接続したプリンタ１等の周辺装置とのデータの送受信の制御を行うインタフェース３３とを有する、一般的なコンピュータシステムを用いることができる。また、ホスト２０には、ＣＲＴ等の画像表示装置８０と、キーボードやマウス等の入力装置８１とが接続されていてもよい。
【００４７】
そして、上述したホスト２０の各機能構成は、図示する一般的なコンピュータシステムにおいて、ＣＰＵ３０が、補助記憶装置３２に記憶されている特定のプログラム（ＯＳ、アプリケーション、プリンタドライバ、通信制御プログラム）を、主記憶装置３１にロードし、実行することにより実現される。
【００４８】
具体的には、上述したＯＳ処理部２２の機能は、ＣＰＵ３０が、補助記憶装置３２に記憶されている基本ソフトウェアであるＯＳを、主記憶装置３１にロードし、実行することで実現される。
【００４９】
また、上述したアプリケーション処理部２４の機能は、ＣＰＵ３０が、補助記憶装置３２に記憶されているＯＳと、例えばワープロソフトやフォトレタッチソフト等のアプリケーションとを主記憶装置３１にロードし、ＯＳに載せたアプリケーションを実行することで実現される。
【００５０】
同様に、プリンタドライバ部２１の機能は、ＣＰＵ３０が、補助記憶装置３２に記憶されているＯＳおよびプリンタドライバプログラムを、主記憶装置３１にロードしてＯＳに載せたプリンタドライバプログラムを実行することで実現される。
【００５１】
同様に、通信制御部２３の機能は、ＣＰＵ３０が、補助記憶装置３２に記憶されているＯＳおよび通信制御プログラムを、主記憶装置３１にロードしてＯＳに載せた通信制御プログラムを実行することで実現される。
【００５２】
プリンタ１は、ホスト２０から印刷データを受信した場合に、所定の印刷プロセスを実行して印刷媒体である印刷用紙に画像を形成するものである。なお、本実施形態のプリンタは特に限定しないが、以下の説明では、カラー印刷が可能なレーザプリンタを例に説明する。
【００５３】
プリンタ１は、ホスト２０とのデータの送受信の制御を行うインタフェース３４と、プログラムを実行するＣＰＵ（中央演算処理装置）３５と、イメージデータ等を一時的に記憶するＲＡＭ（Ｒａｎｄｏｍ  Ａｃｃｅｓｓ  Ｍｅｍｏｒｙ）３６と、プリンタ１を制御するためのプログラム等が予め不揮発的に記憶されているＲＯＭ（Ｒｅａｄ  Ｏｎｌｙ  Ｍｅｍｏｒｙ）３７と、上述の算出した進捗管理ＤＢ１０等を記憶するためのハードディスク等の補助記憶装置３８と、実際に印刷を行う印刷機構３９と、上述したセットアップ処理の手順を表示する表示装置４０と、本プリンタ１のメイン電源を生成する電源装置４１とを有する。なお、表示装置４０には、液晶パネル等の一般的な表示装置を用いることができる。また、電源装置４１には、ＡＣ入力（１次側）に対して、種々の出力電圧のＤＣ出力を得るように構成されている一般的な電源装置を用いることができる。
【００５４】
また、上述の図１で説明したプリンタ１の各機能構成は、図示する一般的なプリンタにおいて、ＣＰＵ３５が、ＲＯＭ３７に記憶されている特定のプログラム（電源制御プログラム、通信制御プログラム、印刷実行プログラム、セットアップ管理プログラム、セットアップ検知プログラム、表示・受付プログラム、選択プログラム）を、ＲＡＭ３６にロードし、実行することにより実現される。また、上記図１で説明したＤＢ部８が有するセットアップ情報ＤＢ９およびデバイス情報ＤＢ１１は、ＲＯＭ３７または補助記憶装置３８に格納されている。また、ＤＢ部８が有する進捗管理ＤＢ１０は、補助記憶装置３８に格納されている。
【００５５】
次に、本実施形態の印刷システムの進捗管理ＤＢ１０とデバイス情報ＤＢ１１とに格納するデータ構造について図３、図４を用いて説明する。
【００５６】
図３は、本実施形態の進捗管理ＤＢ１０のデータ構造の一例を模擬的に表したものである。図示するように、進捗管理ＤＢ１０は、保護材ＤＢ４２と、オプションデバイスＤＢ４３と、画像調整ＤＢ４４とを有している。
【００５７】
保護材ＤＢ４２は、保護材の種類を格納するエントリ４５と、保護材の取り外しが完了したか否かを示すデータ（ここでは、保護材が取り外されている場合には「１」を格納し、取り外されていない場合には「０」を格納する）を格納するエントリ４６とを有する。例えば、図示する例では、「保護材Ａ」に対応するエントリ４６には「１」が格納されており、それ以外のエントリ４６には「０」が格納されている（これは、プリンタ１では、保護材Ａだけが取り外されていて、それ以外の保護材は取り外されていない状態であることを示している）。また、全ての保護材が取り外されている場合は、図示するエントリ４５の「保護材全て」に対応付けられるエントリ４６に「１」が格納される。
【００５８】
また、オプションデバイスＤＢ４３は、デバイスの種類を格納するエントリ４７と、取り付けが完了したか否かを示すデータ（ここでは、オプションデバイスが取り付けられている場合には「１」を格納し、取り付けられていない場合には「０」を格納する）を格納するエントリ４８と、デバイスが必須部材か否かを示すデータ（ここでは、消耗品が必須部材の場合には「１」が格納され、必須部材ではない場合には「０」が格納される）を格納するエントリ４９とを有する。なお、上記必須部材とは、そのデバイスを取付けなければプリンタ１が使用可能にならないものをいう（例えば感光体）。
【００５９】
また、必要なデバイスの取り付けが全て終了している場合には、図示するエントリ４７の「デバイス取付完了」に対応するエントリ４８に「１」が格納される。
【００６０】
また、画像調整ＤＢ４４は、画像調整が完了したか否かを示すデータ（ここでは、画像調整が完了している場合には「１」が格納され、完了していない場合には「０」を格納される）を格納するエントリ５０を有する。
【００６１】
このように、セットアップ管理部５は、進捗管理ＤＢ１０に格納されているデータを参照することで、セットアップ処理の各工程（「保護材取外工程」、「デバイス取付工程」、「画像調整工程」）毎の進捗状況を特定することができる。
【００６２】
図４は、本実施形態のデバイス情報ＤＢ１１のデータ構造の一例を模擬的に表したものである。図示するように、デバイス情報ＤＢ１１には、デバイスＩＤ５１が、プリンタ１に取り付けられたオプションデバイスの構成５２に対応付けられて格納されている。そのため、セットアップ管理部５は、図３に示すオプションデバイスＤＢ４３から、プリンタ１の装着されているオプションデバイスの構成を特定し、該特定したオプションデバイスの構成と、デバイス情報ＤＢ１１に格納されているデータからデバイスＩＤを特定することが出来る。
【００６３】
また、図示するデバイスＩＤは、上位７桁部分のデータ（５３ａ、５３ｂ、５３ｃ）でプリンタ１を特定し、下位２桁部分のデータ（５４ａ、５４ｂ、５４ｃ）でプリンタ１に装着されているオプションデバイスの構成を特定するものとする。なお、図示するデバイスＩＤのデータ構造は例示であり、プリンタ１とプリンタ１に装着されているオプションデバイスとを特定できれば、他のデータ構造であってもよい。
【００６４】
次に、本実施形態の印刷システムのホスト２０のプリンタドライバ部２１が有する印刷条件ＴＢ２５が格納するデータ構造について図５を用いて説明する。
【００６５】
図５は、本実施形態の印刷条件ＴＤＢ２５のデータ構造の一例を模擬的に表したものである。図示するように、印刷条件ＴＢ２５は、デバイスＩＤを格納するエントリ５５と、エントリ５５に格納されているデバイスＩＤに対応付けて印刷条件設定情報が格納されているエントリ５６とを有して構成されている。そして、エントリ５６には、図示するように、プリンタに装着されているオプションデバイス構成に関係なく定まる共通の基本印刷条件データ（デバイスＩＤの上位７桁部分のデータ（５３ａ、５３ｄ）で特定できる印刷条件）と、取り付けられているオプションデバイス構成により定まるデバイス印刷条件データ（デバイスＩＤの下位２桁部分のデータ（５４ａ、５４ｄ）で特定できる印刷条件）が格納されている。
【００６６】
このように、印刷条件ＴＢ２５には、オプションデバイスの構成に関連付けた印刷条件設定データを格納するように構成されているため、ホスト２０のプリンタドライバ部２１は、プリンタ１から送信されたデバイスＩＤと印刷条件ＴＤＢ２５に格納されているデータから、プリンタ１の印刷条件を、プリンタ１に装着されているオプションデバイス構成を対応させて設定することができる。
【００６７】
続いて、上述したプリンタ１の表示・受付部７が表示するセットアップ処理の手順を説明する画面を図６〜図９を用いて説明する。なお、以下の説明においては、表示・受付部７は、ユーザからの各種要求を、表示装置４０の表示面に設置されているタッチパネルにより受け付けるものとする。
【００６８】
図６は、表示・受付部７が表示するセットアップ処理の「保護材取外工程」の手順を説明する説明画面の一例を示す図である。
【００６９】
図示するように、説明画面６０、６１は、「保護材取外工程」の中の一工程の処理の手順の説明欄６０ａ、６１ａと、該当する工程が終了したことをユーザから受け付けるための確認欄６０ｂ、６１ｂ（図示する「ＯＫボタン」、「戻るボタン」）と、をそれぞれ有している。
【００７０】
そして、表示・受付部７は、ユーザから「ＯＫボタン」の押下を受け付けた場合、表示している一工程が終了したものと判断し、該一工程が終了したことを示すデータをセットアップ検知部６に送信する。セットアップ検知部６は、該一工程が終了したことを示すデータを受信した場合には、進捗管理ＤＢ１０の保護材ＤＢ４２の該一工程に対応付けられているエントリ４６に「１」を格納する。また、セットアップ検知部６は、該一工程の処理が終了した旨を示すデータをセットアップ管理部５に送信する。セットアップ管理部５は、上記一工程の処理が終了した旨を示すデータを受信した場合には、更新された保護材ＤＢ４２に格納されているデータを用いて、「保護材取外工程」の次の一工程を特定して、特定した工程の手順を表示・受付部７に表示させる。
【００７１】
説明画面６２は、「保護材取外工程」の処理が全て終了した場合に、セットアップ管理部５が表示・受付部７に表示させるものである。そして、表示・受付部７は、説明画面６２の「ＮＥＸＴボタン」の押下を受け付けた場合、次の工程の「デバイス取付工程」の処理の手順を画面表示する。
【００７２】
図７は、「デバイス取付工程」の手順を説明する説明画面６３、６４を例示したものである。説明画面６３、６４についても、上記の図６で説明した説明画面６０、６１と同様に、「デバイス取付工程」の中の一工程の処理の手順の説明欄６３ａ、６４ａと、該当する工程が終了したことをユーザから受け付けるための確認欄６３ｂ、６４ｂと、をそれぞれ有している。そして、表示・受付部７は、ユーザの確認欄６３ｂ、６４ｂの押下によりユーザから該当する一工程の処理終了を受け付け、次の一工程の説明画面を表示する。
【００７３】
また、オプションデバイスには、ユーザが取り付けを行わないデバイスもある。したがって、説明画面６４に示すように、表示しているデバイスを装着しない場合には、該表示画面を次の工程の画面に切り換える手順を案内するようにしている（表示したデバイスを装着しない場合には、ユーザに「ＮＥＸＴボタン」を押下させ、次のデバイスの取付工程の手順の説明画面を表示させる）。
【００７４】
図８は、「デバイス取付工程」が完了したか否かを確認する確認画面６６、６７、６８を例示したものである。確認画面６６は、「デバイス取付工程」での取り付けの手順の説明が全て終了した場合に、表示・受付部７が表示するものである。確認画面６７は、セットアップ検知部６が、プリンタ１に必須部材が全て取り付けられていると確認した場合に、表示・受付部７が表示するものである。確認画面６８は、セットアップ検知部６が、プリンタ１に取り付けられていない必須部材があると確認した場合に、表示・受付部７が表示するものである。
【００７５】
具体的には、以下のような流れで、確認画面６７、６８が表示されることとなる。表示・受付部７は、確認画面６６の「確認ボタン」の押下を受け付けると、セットアップ検知部６に、プリンタ１に装着されている「オプションデバイス」の検知を指示するデータを送信する。そして、セットアップ検知部６は、プリンタ１に装着されているオプションデバイスを検知し、該検知したデバイス構成と進捗管理ＤＢ１０（オプションデバイスＤＢ４３のエントリ４９）に格納されているデータを用いて、プリンタ１の必須部材が全て装着されているか否かを確認する。
【００７６】
そして、セットアップ検知部６は、プリンタ１に必須部材が全て取り付けられていると確認した場合、上記検知したデバイスデータをセットアップ管理部５に送信する。また、セットアップ検知部６は、オプションデバイスＤＢ４３の検知したデバイスに対応づけられているエントリ４８に「１」を格納する。その後、セットアップ管理部５は、更新された進捗管理ＤＢ１０の進捗管理ＤＢ１０に格納されているデータに基づいて、確認画面６７を表示・受付部７に表示させる。その後、表示・受付部７は、確認画面６７の「ＮＸＴボタン」の押下を受けて、次の画像調整工程の手順の説明画面（図示せず）を表示する。
【００７７】
一方、セットアップ検知部６は、プリンタ１に取り付けられていない必須部材があると確認した場合には、該取り付けられていない必須部材のデバイスを示すデータをセットアップ管理部５に送信する。その後、セットアップ管理部５は、取り付けられていない必須部材のデバイスの取り付けをユーザに促す確認画面６８を表示・受付部７に表示させる。そして、表示・受付部７が、確認画面６８の「戻るボタン」の押下を受付けた場合には、その未装着の必須部材のデバイスの取付けの手順を説明する画面が表示される。
【００７８】
図９は、全てのセットアップ処理の工程が終了したことを表示する確認画面６９を例示するものである。受付・表示部７は、確認画面６９の「ＯＫボタン」の押下を受け付けた場合、セットアップ処理が終了したことを示すデータをセットアップ管理部５に送信する。
【００７９】
このように、本実施形態では、セットアップ処理の手順を工程毎に所定の順番で表示している。そのため、ユーザにセットアップ処理をわかり易く導くことができる。また、プリンタのオプションデバイスの取付工程および画像処理工程の手順を詳細に表示させることにより、従来はプリンタが自動で行っていたセットアップ処理の工程をユーザが適切に行うように導くことが出来る。そのため、プリンタにセットアップ処理を自動で行うための装置（例えば、トナーカートリッジを移動させるためのモータ装置や画像を自動調整するための装置等）を設ける必要がなくなり、プリンタのコストの低減を図ることができる。
【００８０】
続いて、本実施形態の印刷システムのプリンタ１が行う処理のフローについて説明する。
【００８１】
図１０は、本実施形態の印刷システムのプリンタ１が行う処理のフローを説明するための図である。なお、以下の説明では、プリンタ１に接続するプリンタホストにはプリンタドライバはインストールされているものとする。
【００８２】
最初に、プリンタ１に電源が投入されると（Ｓ１）、選択部１２は、進捗管理ＤＢ１０格納されているデータを取得する（Ｓ２）。そして、選択部１２は、プリンタ１のセットアップ処理が完了しているか否かを、進捗管理ＤＢ１０に格納されているデータに基づいて判断する（Ｓ３）。
【００８３】
具体的には、選択部１２は、進捗管理ＤＢ１０の「保護材全て」に対応付けられているエントリ４６、「デバイス取付完了」に対応付けられているエントリ４８および「画像調整」のエントリ５０の全てに「１」が格納されている場合に、セットアップ処理が完了したものと判断し、電源制御部２に「通常印刷モード指示データ」を送信して、Ｓ１６の処理に進む。
【００８４】
一方、選択部１２は、上述以外の場合（「保護材全て」に対応付けられているエントリ４６、「デバイス取付完了」に対応付けられているエントリ４８および「画像調整」のエントリ５０の全てに「１」が格納されている場合以外）には、セットアップ処理が完了していないものと判断する。そして、選択部１２は、「セットアップモード」を選択し、電源制御部２に対して、「セットアップモード指示データ」を送信する。その後、電源制御部２は、通信制御部３、セットアップ管理部５、セットアップ検知部６、表示・受付部７、ＤＢ部８の機能を実現するために必要な電圧をプリンタ１の各構成回路に供給して、Ｓ４の処理に進む。なお、以下で説明するＳ４〜Ｓ１５で行われる処理が、セットアップモードにおいてプリンタ１が実行するセットアップ処理である。
【００８５】
さて、Ｓ４では、セットアップ管理部５は、進捗管理ＤＢ１０のデータを用いて、「保護材取外工程」が完了しているか否かを判断する（進捗管理ＤＢ１０のエントリ４５の「保護材全て」に対応付けられているエントリ４６に「１」が格納されている場合に、「保護材取外工程」は完了していると判断する）。そして、保護材の取外が終了していると判断した場合には、Ｓ７の処理に進む。
【００８６】
一方、セットアップ管理部５は、「保護材取外工程」が完了していなと判断した場合には、「保護材取外工程」の各工程の処理手順を順次表示する（Ｓ５）。具体的には、セットアップ管理部５は、進捗ＤＢ１０の保護材ＤＢ４２に格納されているデータから、「保護材取外工程」の進捗状況を取得して処理手順を表示する工程を特定する（例えば、図３に例示する保護材ＤＢ４２では、「保護材Ａ」の取外しが完了していることが確認できるため、保護材Ｂの取り外し工程を特定する）。また、セットアップ管理部５は、上記特定した処理工程の手順を説明するデータを、セットアップ情報ＤＢ９から読み出して、表示・受付部７に表示する。
【００８７】
また、上述したように、表示・受付部７は、例えば、図６に示す説明画面６０、６１の「ＯＫボタン」の押下をユーザから受けた場合、その工程が終了したことを示すデータをセットアップ検知部６に送信する。また、セットアップ検知部６は、上記工程の終了したことを示すデータを受信した場合は、進捗ＤＢ１０の保護材ＤＢ４２のデータを更新する。その後、セットアップ管理部５は、更新された保護材ＤＢ４２に格納されたデータに基づいて、「保護材取外工程」の次に行う工程を特定し、該特定した工程の手順を説明するデータを、セットアップ情報ＤＢ９から読み出して、表示・受付部７に表示する。
【００８８】
セットアップ管理部５は、「保護材取外工程」の各工程の処理手順が全て完了したことを示すデータを、セットアップ検知部６から受信した場合には、「保護材取外工程」が終了したことを示すデータを表示・受付部７に表示し、Ｓ７の処理に進む（Ｓ６）。
【００８９】
また、Ｓ７では、Ｓ３と同様に、セットアップ管理部５は、進捗管理ＤＢ１０に格納されているデータに基づいて「デバイス取付工程」が完了しているか否かを判断する（進捗管理ＤＢ１０のエントリ４７の「デバイス取付完了」に対応付けられているエントリ４８に「１」が格納されている場合に、オプションデバイスの取付けは完了していると判断する）。そして、デバイスの取付けが完了していると判断した場合には、Ｓ１０の処理に進む。一方、デバイスの取付けが完了していなと判断した場合には、「デバイス取付工程」の各工程の処理手順を順次表示する（Ｓ８）。例えば、セットアップ管理部５は、図７に例示する説明画面６３、６４を表示・出力部７に表示する。
【００９０】
そして、Ｓ６と同様に、セットアップ管理部５は、「デバイス取付工程」の各工程が全て完了したことを示すデータを、セットアップ検知部６から受信した場合には、「デバイス取付工程」が終了したことを示すデータを表示・受付部７に表示し、Ｓ１０の処理に進む（Ｓ９）。
【００９１】
Ｓ１０では、Ｓ３、Ｓ７と同様に、セットアップ管理部５は、進捗管理ＤＢ１０に格納されているデータに基づいて「画像調整工程」が完了しているか否かを判断する（進捗管理ＤＢ１０のエントリ５０に「１」が格納されている場合に、画像調整は完了していると判断する）。そして、画像調整が完了していると判断した場合には、Ｓ１３の処理に進む。一方、デバイスの取付けが完了していなと判断した場合には、「画像調整工程」の各工程の処理手順を順次表示する（Ｓ１１）。その後、Ｓ６、Ｓ９と同様に、セットアップ管理部５は、「画像調整工程」の各工程が全て完了したことを示すデータを、セットアップ検知部６から受信した場合に、「セットアップ処理」が完了したことを示すデータを表示・受付部７に表示する（Ｓ１２）。
【００９２】
その後、セットアップ管理部５は、進捗管理ＤＢ１０のデバイス進捗ＤＢ４３に格納されているデータからプリンタ１に装着されているデバイス構成を特定する。また、セットアップ管理部５は、上記特定したデバイス構成とデバイス情報ＤＢ１１に格納されているデータとを用いて、プリンタ１に装着されたオプションデバイス構成に対応するデバイスＩＤを特定する（Ｓ１３）。その後、セットアップ管理部５は、特定したデバイスＩＤをホスト２０に送信する（Ｓ１４）。
【００９３】
なお、ホスト２０のプリンタドライバ部２１では、プリンタ１が送信したデバイスＩＤを受け付けて、該受付けたデバイスＩＤと自身が有する印刷条件ＴＢ２５からプリンタ１およびプリンタ１に装着されているデバイス構成を特定し、該特定した内容に対応した印刷条件を設定する。
【００９４】
その後、セットアップ管理部５は、セットアップモードを終了し、セットアップモードが終了したことを示すデータを選択部１２に送信する。選択部１２は、セットアップモードが終了したことを示すデータを受信した場合には、電源制御部２に「通常印刷モード指示データ」を送信し、Ｓ１６の処理に進む（Ｓ１５）。
【００９５】
Ｓ１６では、通信制御部３、印刷実行部４が、電源制御部２から必要な電圧の供給を受けて印刷処理が可能な通常印刷モードに移行する。
【００９６】
このように、本実施形態では、プリンタ１に通常の印刷処理を行う「通常印刷モード」とは別に、「セットアップモード」を設けている。また、本実施形態では、ユーザのセットアップ処理が終了するまでは、「通常印刷モード」に移行しないようにしている。そして、セットアップモードでは、ユーザが行うセットアップ処理の進捗を管理し、該セットアップ処理が完了した場合にのみ、プリンタ１を識別するデバイスＩＤをホストに送信している。
【００９７】
また、上記デバイスＩＤは、プリンタ１に取り付けられたオプションデバイスの構成に対応付けられている。すなわち、本実施形態では、プリンタ１に取り付けられているオプションデバイス構成に対応したデバイスＩＤを、プリンタ側が自動的にホストに送信している。
【００９８】
そのため、本実施形態によれば、オプションデバイスの組み合わせにより性能が異なるプリンタとホストとからなる印刷システムにおいて、ホストのプリンタドライバでは、プリンタのオプション構成に応じた印刷条件の設定を簡易かつ確実に行うことができる。
【００９９】
また、本実施形態では、ユーザが行うセットアップ処理の進捗状況を工程毎に管理している（進捗ＤＢ１０にセットアップ処理の進捗状況を示すデータを格納している）。そのため、例えば、セットアップ処理の途中で電源が切断されても、電源が再投入されれば中断した処理の手順を説明する画面から表示させることができる。そのため、ユーザは中断した処理を継続する際の手間が軽減される（ユーザはどの工程まで終了したかを確認する必要はない。また、ユーザは表示させたい画面を検索する必要がない）。
【０１００】
また、本発明によれば、セットアップモードでは、セットアップ処理に必要ない電源は遮断されている（セットアップモードでは、印刷実行部４の機能を実現する回路に対しては電源が供給されていない）。そのため、ユーザに対するセットアップ処理の安全性を確保することが出来る。
【０１０１】
さらに、プリンタのセットアップ処理の手順を詳細に表示させることにより、従来はプリンタが自動で行っていたセットアップ処理の工程をユーザが適切に行なえるように導くことが出来る。そのため、プリンタにセットアップ処理を自動で行うための装置（例えば、トナーカートリッジを移動させるためのモータ装置等）を設ける必要がなくなり、プリンタのコストを低減することができる。
【０１０２】
なお、本発明は以上で説明した実施形態に限定されるものではなく、本発明の要旨の範囲内において種々の変形が可能である。例えば、本実施形態ではレーザプリンタを例示して説明しているが、インクジェットプリンタでも構わない。また、本実施形態では、プリンタとホストとが１対１で接続されている印刷システムを例示して説明しているが、ネットワークを介してプリンタに複数のコンピュータが接続されているネットワーク印刷システムでも構わない。また、プリンタのデバイスＩＤの特定にオプションデバイスの構成を示すデータを用いているが、その他の要素を加えてデバイスＩＤの特定を行うこととしてもよい。
【図面の簡単な説明】
【図１】本発明の実施形態の印刷システムの機能構成の一例を示す図。
【図２】本発明の実施形態の印刷システムのハードウェア構成の一例を示す図。
【図３】進捗管理ＤＢ１０のデータ構造を模擬的に示す図。
【図４】デバイス情報ＤＢ１１のデータ構造を模擬的に示す図。
【図５】印刷条件ＴＢ２５のデータ構造を模擬的に示す図。
【図６】セットアップ処理の手順を説明する表示画面の一例を示す図。
【図７】セットアップ処理の手順を説明する表示画面の一例を示す図。
【図８】「デバイス取付工程」の完了を確認する表示画面の一例を示す図
【図９】セットアップ処理の終了を示す表示画面の一例を示す図。
【図１０】本実施形態の印刷システムのプリンタ１の処理のフロー図。
【符号の説明】
１…プリンタ、２…電源制御部、３…通信制御部、４…印刷実行部、５…セットアップ管理部、６…セットアップ検知部、７…表示・受付部、８…ＤＢ部、９…セットアップ情報ＤＢ、１０…進捗管理ＤＢ１０…デバイス情報ＴＢ、１２…選択部、２０…ホスト、２１…プリンタドライバ部、２２…ＯＳ処理部、２３…通信制御部、２４…アプリケーション処理部、２５…デバイス情報ＴＢ、２６…表示装置、２７…入力装置、３０…ＣＰＵ、３１…主記憶装置、３２…補助記憶装置、３３…インタフェース、３４…インタフェース、３５…ＣＰＵ、３６…ＲＡＭ、３７…ＲＯＭ、３８…補助記憶装置、３９…印刷機構、４０…表示装置、４１…電源装置、４２…保護材ＤＢ、４３…オプションデバイスＤＢ、４４…画像ＤＢ、６０…保護材取外手順の説明画面、６１…保護材取外し説明画面、６２…保護材取外し説明画面、６３…オプションデバイス取付け手順説明画面、６４…オプションデバイス取付け手順説明画面、６６…オプションデバイス取付け確認画面、６７…オプションデバイス取付け確認画面、６８…オプションデバイス取付け確認画面、６９…セットアップ処理終了画面、８０…表示装置、８１…入力装置
【図１】
2004276454.tif 000003
【図２】
2004276454.tif 000004
【図３】
2004276454.tif 000005
【図４】
2004276454.tif 000006
【図５】
2004276454.tif 000007
【図６】
2004276454.tif 000008
【図７】
2004276454.tif 000009
【図８】
2004276454.tif 000010
【図９】
2004276454.tif 000011
【図１０】
2004276454.tif 000012